(57)【要約】【課題】  推進力を一つの方向に集中することによってより強い推進力を有するサーフィンプロペラを提供する。【解決手段】  ハウシングと、該ハウシング内に収容される電源手段と駆動モーターと制御手段と、該ハウシングの後端に露出するように取り付けられるプロペラと、を有する駆動部ユニットと、進水ポートを有し、前記進水ポートから取り入れた水の流れを誘導する前側誘導流路を画成する前フード部と、排水ポートを有し、前記前フード部と連続し、且つ内径が後ろへ小さく収束するように形成され、前記前側誘導流路と連通して前記進水ポートから取り入れた水の流れを前記プロペラへ誘導して前記排水ポートで噴出させる後側誘導流路を画成する後フード部と、を有するフードユニットを備えてなる。【選択図】  図８
2008260467.tif 000002
【特許請求の範囲】
【請求項１】
その長さ方向に沿って前端から後端まで延伸して所定のチャンバーを画成するハウシングと、いずれも前記チャンバー内に配置されている電源手段と、前記電源手段より提供される電力により作動する駆動モーターと、前記電源手段及び前記駆動モーターと電気的に接続して前記駆動モーターの作動を制御する制御手段と、
前記ハウシングの後端に露出するように取り付けられ、前記駆動モーターにより回転駆動されるプロペラと、を有する駆動部ユニットと、
その前端部に水を取り入れる進水ポートを有し、前記駆動部ユニットのハウシングの側面外壁に間を空けて包囲して前記駆動部ユニットのハウシングとの間に前記進水ポートから取り入れた水の流れを誘導する前側誘導流路を画成する前フード部と、
その後端部に水を噴出する排水ポートを有し、前記駆動部ユニットの後端に露出する前記プロペラ及び該プロペラの後側の空間を包囲し、前記前側誘導流路と連通して前記進水ポートから取り入れた水の流れを前記プロペラへ誘導して前記排水ポートで噴出させる後側誘導流路を画成する後フード部と、を有するフードユニットを備えてなることを特徴とするサーフィンプロペラ。
【請求項２】
前記進水ポートは２つあって、それぞれ前記駆動部ユニットの一側とその反対側に配置され、前記前フード部は前記２進水ポートにそれぞれ対応する前側誘導流路を２つ画成し、それぞれ前記駆動部ユニットの一側とその反対側に配置されることを特徴とする請求項１に記載のサーフィンプロペラ。
【請求項３】
前記後フード部は前記前フード部と連続し、且つ、前記前フード部から前記排水ポートまでの部分の内径後ろが段々小さくなるように収束し、前記２進水ポートから取り入れた２つの水流を同一の方向に流れるように前記プロペラへ誘導して前記排水ポートから噴出させることを特徴とする請求項２に記載のサーフィンプロペラ。
【請求項４】
前記フードユニットに対して可動的に別箇配置され、前記制御手段と電気的に接続されて前記制御手段を操作するコントローラを更に備えることを特徴とする請求項１に記載のサーフィンプロペラ。
【請求項５】
前記フードユニットの前フード部の両側の外壁にそれぞれ設けられる一対のソケットを更に備え、前記コントローラは前記ソケットにそれぞれ対応し、前記ソケットにそれぞれ挿入して取り付けることができる一対のプラグ付きグリップを備えることを特徴とする請求項４に記載のサーフィンプロペラ。
【請求項６】
前記一対のソケットにはそれぞれ蟻みぞが設けられ、前記一対のプラグ付きグリップが備えたプラグはそれぞれ対応するソケットに設けられる前記蟻みぞに対応する蟻ほぞとして前記一対のソケットに挿入することができることを特徴とする請求項５に記載のサーフィンプロペラ。
【請求項７】
前記コントローラの前記一対のプラグ付きグリップのいずれかには前記制御手段と電気的に接続されて前記制御手段を操作する操作ボタンを有していることを特徴とする請求項５に記載のサーフィンプロペラ。
【請求項８】
前記コントローラと前記制御手段を電気的に接続する電気ケーブルを更に有することを特徴とする請求項４に記載のサーフィンプロペラ。
【請求項９】
前記制御手段は、前記コントローラにより出力される信号に応じて前記駆動モーターを制御する無線通信モジュールを更に備えることを特徴とする請求項４に記載のサーフィンプロペラ。
【請求項１０】
その長さ方向に沿って前端から後端まで延伸して所定のチャンバーを画成するハウシングと、
前記チャンバー内に配置されている電源手段と、
前記チャンバー内に配置され、前記電源手段より提供される電力により作動する駆動モーターと、
前記ハウシングの後端に露出するように取り付けられ、前記駆動モーターにより回転駆動されるプロペラと、を有する駆動部ユニットと、
その前端部に水を取り入れる進水ポートを有し、前記駆動部ユニットのハウシングの側面外壁に間を空けて包囲して前記駆動部ユニットのハウシングとの間に前記進水ポートから取り入れた水の流れを誘導する前側誘導流路を画成する前フード部と、
その後端部に連接して水を噴出する排水ポートを有し、前記前フード部と連続すると共に、内径が後ろへ小さく収束するように形成され、前記駆動部ユニットの後端に露出する前記プロペラ及び該プロペラの後側の空間を包囲し、前記前側誘導流路と連通して前記進水ポートから取り入れた水の流れを前記プロペラへ誘導して前記排水ポートで噴出させる後側誘導流路を画成する後フード部と、を有するフードユニットと、
前記前フード部の外壁に取り外せるように取り付けられる一対の肩ストラップと、前記後フード部の外壁に取り外せるように取り付けられるウェストストラップとからなる装着ユニットとを備えてなることを特徴とするサーフィンプロペラ。
【請求項１１】
その底面が前記フードユニットに取り付けられているサーフボードを更に備えることを特徴とする請求項１に記載のサーフィンプロペラ。
【請求項１２】
前記サーフボードは、前記フードユニットに設けられる蟻みぞと、前記サーフボードに設けられて前記蟻みぞと対応する蟻ほぞとの結合により前記フードユニットに取り付けられていることを特徴とする請求項１１に記載のサーフィンプロペラ。
【発明の詳細な説明】
【技術分野】
【０００１】
本発明はサーフィンプロペラに関し、特に、モーターにより駆動される水中プロペラを用いて推進するサーフィンプロペラに関する。
【背景技術】
【０００２】
図１及び図２に示すのは特許文献１に開示された従来の水中プロペラ装置１００であり、図１に示すように、ダイビングをする時、使用者は取手に掴まって前進することができる。そして、図２に示すように、浮き板１０１に取り付ける使い方もある。
【０００３】
図３及び図４に示すのは特許文献２に開示された従来のサーフィン推進器１２である。図３に示すように、サーフィン推進器１２はサーフボード１１の後端部に取付けて使用するものであり、モーター部１２１と、プロペラ部１２２と、コントローラ部１２３とを有し、モーター部１２１とコントローラ部１２３は２箇所を直角に曲げたパイプ１３が取り付けられており、両者を電気的に接続する電気ケーブルはパイプ１３の管内に配置されている。図４はそのサーフィン推進器１２の使用状態を示しており、使用者はサーフボード１１上に立ちながら、片手でサーフィン推進器１２のコントローラ部１２３を握って操作し、サーフボード１１は水中のモーター部１２１により回転駆動されるプロペラ部１２２の回転によって前進する。
【特許文献１】台湾特許出願第７７２１１８９６号
【特許文献２】台湾特許出願第９３２０２６３５号
【発明の開示】
【発明が解決しようとする課題】
【０００４】
しかし、特許文献１に開示された水中プロペラ装置１００を利用するには、どの使い方でも手で掴む必要があるので、片手は自由に動くことが出来ない。
また、特許文献２に開示されたサーフィン推進器１２には、以下の欠点を持っている。
まず、該サーフィン推進器１２のプロペラ部１２２はただモーター部１２１の後端に露出しているだけで、プロペラ部１２２により掻かれる水の流れを誘導する手段は全く設けておらず、そのため、プロペラ部１２２により掻かれる水は真後に集中して流れるのではないので、推進力を一つの方向に集中することが出来ず、電力の利用効率にはまだ改善する余地が残っている。
【０００５】
その上、同サーフィン推進器１２はサーフボード１１の後端部に取付けて使用するものであるので、サーフィン推進器１２とサーフボード１１全体の重心は通常のサーフボードより後ろよりになり、通常のサーフィンと比べて使い勝手もかなり違ってくる。そのために、熟練した使用者にとってサーフィン推進器１２をつけたサーフボード１１は扱い難いし、そして、初心者にとってサーフィン推進器１２をつけたサーフボード１１で練習してもサーフィンを上達させることができない。
【０００６】
更に、サーフィンとは波の上を滑走することを楽しむ運動であるため、使用者が姿勢を変えることでバランスを保ちつづけることは非常に重要なスキルであるが、図４に示すように、固定しているコントローラ部１２３を握りつづけることは、姿勢を自由に変える事が出来ないことを意味する。そして、姿勢を自由に変える事が出来なくなると、そのスキルがあってもバランスを保ちつづけることは出来なくなり、サーフィン自体が出来なくなる恐れさえある。それに、サーフィンをする時、テイクオフする前に使用者は図５に示すように、サーフボード１１の上にうつ伏せの体勢で、手で水を漕いで進むのが通常であるが、その時の使用者は当然コントローラ部１２３を握って操作することが出来ない。
【０００７】
したがって、本発明は推進力を一つの方向に集中することによってより強い推進力を有するサーフィンプロペラを提供することを目的とする。
また、本発明はコントローラをより使いやすいように配置して使い勝手を向上させたサーフィンプロペラを提供することをも目的とする。
【課題を解決するための手段】
【０００８】
上記課題を解決するため、本発明はその長さ方向に沿って前端から後端まで延伸して所定のチャンバーを画成するハウシングと、いずれも前記チャンバー内に配置されている電源手段と、前記電源手段より提供される電力により作動する駆動モーターと、前記電源手段及び前記駆動モーターと電気的に接続して前記駆動モーターの作動を制御する制御手段と、前記ハウシングの後端に露出するように取り付けられ、前記駆動モーターにより回転駆動されるプロペラと、を有する駆動部ユニットと、その前端部に水を取り入れる進水ポートを有し、前記駆動部ユニットのハウシングの側面外壁に間を空けて包囲して前記駆動部ユニットのハウシングとの間に前記進水ポートから取り入れた水の流れを誘導する前側誘導流路を画成する前フード部と、その後端部に水を噴出する排水ポートを有し、前記駆動部ユニットの後端に露出する前記プロペラ及び該プロペラの後側の空間を包囲し、前記前側誘導流路と連通して前記進水ポートから取り入れた水の流れを前記プロペラへ誘導して前記排水ポートで噴出させる後側誘導流路を画成する後フード部と、を有するフードユニットを備えてなることを特徴とするサーフィンプロペラを提供する。
【０００９】
本発明のサーフィンプロペラにおいて、前記進水ポートは２つあって、それぞれ前記駆動部ユニットの一側とその反対側に配置され、前記前フード部は前記２進水ポートにそれぞれ対応する前側誘導流路を２つ画成し、それぞれ前記駆動部ユニットの一側とその反対側に配置されるように構成することが好ましい。
【００１０】
また、前記後フード部は前記前フード部と連続し、且つ、前記前フード部から前記排水ポートまでの部分の内径が後ろへ段々小さくなるように収束し、前記２進水ポートから取り入れた２つの水流を同一の方向に流れるように前記プロペラへ誘導して前記排水ポートから噴出させることが出来るように構成することが好ましい。
【００１１】
本発明のサーフィンプロペラにおいて、前記フードユニットに対して可動的に別箇配置され、前記制御手段と電気的に接続されて前記制御手段を操作するコントローラを更に備えることが好ましい。
【００１２】
特に、前記コントローラを備えたサーフィンプロペラにおいて、前記フードユニットの前フード部の両側の外壁にそれぞれ設けられる一対のソケットを更に備え、前記コントローラは前記ソケットにそれぞれ対応し、前記ソケットにそれぞれ挿入して取り付けることができる一対のプラグ付きグリップを備えるように構成することが好ましい。
【００１３】
前記一対のソケットにはそれぞれ蟻みぞが設けられ、前記一対のプラグ付きグリップが備えたプラグはそれぞれ対応するソケットに設けられる前記蟻みぞに対応する蟻ほぞとして前記一対のソケットに挿入することができるように構成することが好ましい。
【００１４】
前記コントローラの前記一対のプラグ付きグリップのいずれかには前記制御手段と電気的に接続されて前記制御手段を操作する操作ボタンを有するように構成することが好ましい。
【００１５】
更に、前記コントローラを備えたサーフィンプロペラにおいて、前記コントローラと前記制御手段を電気的に接続する電気ケーブルを有するように構成し、あるいは前記制御手段は、前記コントローラにより出力される信号に応じて前記駆動モーターを制御する無線通信モジュールを更に備えるように構成することが出来る。
【００１６】
また、本発明はその長さ方向に沿って前端から後端まで延伸して所定のチャンバーを画成するハウシングと、前記チャンバー内に配置されている電源手段と、前記チャンバー内に配置され、前記電源手段より提供される電力により作動する駆動モーターと、前記ハウシングの後端に露出するように取り付けられ、前記駆動モーターにより回転駆動されるプロペラと、を有する駆動部ユニットと、その前端部に水を取り入れる進水ポートを有し、前記駆動部ユニットのハウシングの側面外壁に間を空けて包囲して前記駆動部ユニットのハウシングとの間に前記進水ポートから取り入れた水の流れを誘導する前側誘導流路を画成する前フード部と、その後端部に連接して水を噴出する排水ポートを有し、前記前フード部と連続すると共に内径が後ろへ小さく収束するように形成され、前記駆動部ユニットの後端に露出する前記プロペラ及び該プロペラの後側の空間を包囲し、前記前側誘導流路と連通して前記進水ポートから取り入れた水の流れを前記プロペラへ誘導して前記排水ポートで噴出させる後側誘導流路を画成する後フード部と、を有するフードユニットと、前記前フード部の外壁に取り外せるように取り付けられる一対の肩ストラップと、前記後フード部の外壁に取り外せるように取り付けられるウェストストラップとからなる装着ユニットとを備えてなることを特徴とするサーフィンプロペラをも提供する。
【００１７】
更に、本発明のサーフィンプロペラにおいて、その底面が前記フードユニットに取り付けられているサーフボードを更に備えることが好ましい。
【００１８】
前記サーフボードは、前記フードユニットに設けられる蟻みぞと、前記サーフボードに設けられて前記蟻みぞと対応する蟻ほぞとの結合により前記フードユニットに取り付けられていることが好ましい。
【発明の効果】
【００１９】
上記構成によると、本発明のサーフィンプロペラは進水ポートから吸入した水を誘導して排水ポートより同じ方向に向けて噴出しながら前進することが出来るため、従来のサーフィンプロペラより強い推進力を提供することが出来る。更に、本発明はコントローラをフードユニットに対して任意に移動可能に構成されたので、使用者はコントローラの位置に制限されることなく、自由に動くことが出来、よりサーフィンを楽しむことが出来る。
【発明を実施するための最良の形態】
【００２０】
以下は図示を参照しながら本発明のサーフィンプロペラの各実施形態について詳しく説明する。
[第１の実施形態]
図６〜図８に示すのは本発明のサーフィンプロペラの第１の実施形態である。
【００２１】
図６に示すように、そのサーフィンプロペラは駆動部ユニット２０と、フードユニット４０と、一対のグリップ５１、５２有するコントローラ５０を備えている。グリップ５１、５２にはそれぞれ蟻ほぞとしてのプラグ５１１、５１１が設けられている。そして、図７をあわせて参照してみると、フードユニット４０にはプラグ５１１、５１１にそれぞれ対応してプラグ５１１、５１１と結合することが出来る蟻みぞとしてのソケット４４、４４が設けられており、グリップ５１、５２にそれぞれ設けられているプラグ５１１、５１１をフードユニット４０に設けられているソケット４４、４４に挿入して結合することによって、グリップ５１、５２をフードユニット４０に取り外せるように取り付けることが出来る。
【００２２】
図７、図８をあわせて参照してみると、駆動部ユニット２０は、その長さ方向に沿って前端２０１から後端２０２まで円筒状に延伸し、前端２０１と後端２０２が尖っているように形成され、その内部に所定のチャンバー２０４を画成するハウシング２１と、チャンバー２０４内に配置されている電源手段３２と、チャンバー２０４内に配置され、電源手段３２より提供される電力により作動する駆動モーター３３と、チャンバー２０４内に配置され、電源手段３２及び駆動モーター３３と電気的に接続して駆動モーター３３の作動を制御する制御手段３１と、ハウシング２１の後端２０２に露出するように取り付けられ、駆動モーター３３により回転駆動されるプロペラ３４と、を備えている。
【００２３】
フードユニット４０はその前端部にそれぞれ前記駆動部ユニットの一側とその反対側に配置され、水を取り入れる２つの進水ポート４２１、４２１を有し、そして、駆動部ユニット２０のハウシング２１の両側面の外壁に間を空けて包囲し、駆動部ユニット２０のハウシング２１との間に、２つの進水ポート４２１、４２１それぞれから取り入れた水の流れを誘導する２つの前側誘導流路４３、４３を画成する前フード部４０１と、その後端部４０３に水を噴出する排水ポート４１を有し、駆動部ユニット２０の後端２０２に露出するプロペラ３４及び該プロペラ３４の後側の空間を包囲し、２つの前側誘導流路４３、４３と連通して２つの進水ポート４２１、４２１から取り入れた水の流れをプロペラ３４へ誘導して排水ポート４１で噴出させる後側誘導流路４６を画成する後フード部４０２と、を備えている。
【００２４】
後フード部４０２は前フード部４０１と連続し、且つ、前フード部４０１から排水ポート４１までの部分の内径が後ろへ段々小さくなるように収束し、２つの進水ポート４２１、４２１から取り入れた２つの水流を同一の方向に流れるようにプロペラ３４へ誘導して排水ポート４１から噴出させることができる。
【００２５】
また、グリップ５１には電気ケーブル５３を介して制御手段３１と電気的に接続されて制御手段３１を操作することができる操作ボタン５４が設けられている。これによって、使用者はグリップ５１を自由に動かしながら制御手段３１及び駆動モーター３３を制御することが出来る。
【００２６】
上記構成を有する本発明のサーフィンプロペラの第１の実施形態は、水中推進器として使用することが出来る。例えば、使用者はフードユニット４０に取り付けられているグリップ５１、５２を掴みながら前進することが出来る。また、操作ボタン５４が付いているグリップ５１は取り外せるように構成たれているため、使用者は常時グリップ５１、５２を掴む必要がなく、グリップ５１を自由に動かし制御することが出来る。
[第２の実施形態]
図９に示すのは本発明のサーフィンプロペラの第２の実施形態である。
図示のように、第２の実施形態は第１の実施形態の構成をグリップ５２以外すべて有しながら、更に使用者の体に装着するためソケット４４、４４に取り付けられる一対の肩ストラップ６１、６１と、後フード部４０２の外壁に取り付けられるウェストストラップ６２を備えてなるものである。
【００２７】
この構成を有する本発明のサーフィンプロペラの第２の実施形態は、ランドセルのように使用者の背中に装着しながら使用する事が出来る。これによって、使用者はグリップ５１掴まなくでも水中推進器として利用することが出来る。
[第３の実施形態]
図１０〜図１２に示すのは本発明のサーフィンプロペラの第３の実施形態である。
図示のように、第３の実施形態は第２の実施形態と同じく、第１の実施形態における構成をグリップ５２以外すべて有している。更に、この第３の実施形態にはサーフボード７０と、サーフボード７０にその長さ方向に沿って設けられている蟻みぞ７１と、蟻みぞ７１と結合するためにフードユニット４０に設けられている蟻ほぞ４５とを備えている。
【００２８】
上記構成を有する本発明のサーフィンプロペラの第３の実施形態は、図１２に示すように、使用者はサーフボード７０の上に立ちながら、あらゆる姿勢を取っても制限されることなく自由に電気ケーブル５３により駆動ユニット２０内に配置される制御手段３１と電気的に接続しているクリップ５１と操作ボタン５４を用いてサーフィンプロペラを制御することが出来る。
【００２９】
更に、フードユニット４０とサーフボード７０は蟻みぞ７１と蟻ほぞ４５により結合しているため、サーフボード７０に対しするフードユニット４０及び駆動ユニット２０の相対位置及び重心位置を調整することが出来るので、推進力を提供するサーフィンプロペラを使わないサーフィンにより近い体感を提供することに通じて、より効率的なサーフィン練習が可能である。
[第４の実施形態]
図１３と図１４に示すのは本発明のサーフィンプロペラの第４の実施形態である。
図示のように、第４の実施形態は第３の実施形態とほぼ同じの構成を有しており、唯一違う構成は、電気ケーブルの替わりに、制御手段３１に操作ボタン５４より出力される信号に応じて駆動モーター３３を制御する無線通信モジュール３５を更に備える所にある。
【００３０】
上記構成を有する本発明のサーフィンプロペラの第４の実施形態は、電気ケーブルの替わりに無線通信モジュール３５を用いるため、使用者は電気ケーブルの長さに制限されることなく、より自由に姿勢をとることが出来る。例えば、図１４に示すように、サーフボード７０の上にうつ伏せの体勢でも、サーフィンプロペラの作動を操作することができる。
【産業上の利用可能性】
【００３１】
上記のように、本発明によるサーフィンプロペラはより強い推進力を提供することが出来る上、駆動ユニットとサーフボードの相対位置を調整することによって、サーフィンプロペラを使わない時により近い体感を提供することが出来る。更に、駆動ユニットの作動を操作するコントローラを駆動ユニットに対して可動的に別箇設置されたため、使用者はコントローラの位置に制限されずに自由に姿勢を取ることが出来、満足にサーフィンすることができるようになる。
【図面の簡単な説明】
【００３２】
【図１】従来の水中プロペラ装置の使用法を示す説明図である。
【図２】図１に示す従来の水中プロペラ装置の他の使用法を示す説明図である。
【図３】従来のサーフィン推進器の構成を示す分解図である。
【図４】図３に示す従来のサーフィン推進器の使用法を示す説明図である。
【図５】図３に示す従来のサーフィン推進器を使用してサーフボードの上にうつ伏せの体勢で手で水を漕いで進む状態を示す説明図である。
【図６】本発明のサーフィンプロペラの第１の実施形態の構成を示す斜視図である。
【図７】図６に示すサーフィンプロペラの第１の実施形態の上面図である。
【図８】図６に示すサーフィンプロペラの構成を示す断面図である。
【図９】本発明のサーフィンプロペラの第２の実施形態の構成を示す斜視図である。
【図１０】本発明のサーフィンプロペラの第３の実施形態の構成を示す局部断面図である。
【図１１】図１０に示すサーフィンプロペラの構成を示す後面図である。
【図１２】図１０に示すサーフィンプロペラの使用法を示す説明図である。
【図１３】本発明のサーフィンプロペラの第４の実施形態の使用法及び構成を示す説明及び局部断面図である。
【図１４】図１３に示す本発明のサーフィンプロペラの第４の実施形態を使用してサーフボードの上にうつ伏せの体勢で操作する状態を示す説明及び局部断面図である。
【符号の説明】
【００３３】
２０        駆動部ユニット
２１        ハウシング
３１        制御手段
３２        電源手段
３３        駆動モーター
３４        プロペラ
３５        無線通信モジュール
４０        フードユニット
４１        排水ポート
４３        前側誘導流路
４４        ソケット
４５        蟻ほぞ
４６        後側誘導流路
５０        コントローラ
５１、５２  グリップ
５３        電気ケーブル
５４        操作ボタン
６１        肩ストラップ
６２        ウェストストラップ
７０        サーフボード
７１        蟻みぞ
２０１      前端
２０２      後端
２０４      チャンバー
４０１      前フード部
４０２      後フード部
４０３      後端部
４２１      進水ポート
５１１      プラグ
【図１】
2008260467.tif 000003
【図２】
2008260467.tif 000004
【図３】
2008260467.tif 000005
【図４】
2008260467.tif 000006
【図５】
2008260467.tif 000007
【図６】
2008260467.tif 000008
【図７】
2008260467.tif 000009
【図８】
2008260467.tif 000010
【図９】
2008260467.tif 000011
【図１０】
2008260467.tif 000012
【図１１】
2008260467.tif 000013
【図１２】
2008260467.tif 000014
【図１３】
2008260467.tif 000015
【図１４】
2008260467.tif 000016